(57)【要約】      （修正有）【課題】立体形状に成形された商品見本を用いることなく、商品見本を画像として表示することができる商品見本液晶表示ユニットを提供する。【解決手段】商品見本液晶表示ユニット１は、購入する商品を商品選択ボタン９によって選択する自動販売機６における本体ケース７の前面外扉８に設けられる商品見本陳列部を構成する、外装ケースと、液晶パネル３と、バックライトとなる発光素子と、駆動回路と、駆動回路を設けた制御基板とからなり、液晶パネル３に、商品見本を画像として表示することができるようになすと共に、各商品見本の画像を変更し得るようになす。【選択図】図１
0003201409.tif 000002
【実用新案登録請求の範囲】
【請求項１】
購入する商品を商品選択ボタンによって選択する自動販売機における本体ケースの前面外扉に設けられる商品見本陳列部を構成する、商品見本を画像として表示することができるようになすと共に、各商品見本の画像を変更し得るようになした商品見本液晶表示ユニット。
【考案の詳細な説明】
【技術分野】
【０００１】
本考案は各種飲料やタバコ等の商品を販売する自動販売機における商品見本陳列部を構成する商品見本液晶表示ユニットに関するものである。
【背景技術】
【０００２】
各種飲料やタバコ等の商品を販売する自動販売機は、本体ケースの前面外扉に、プラスチックをもって立体形状に成形された商品見本が陳列される商品見本陳列棚と、その前面を覆うパネルとをもって構成される商品見本陳列部が設けられている。
【０００３】
また、斯かる従来の自動販売機の商品見本陳列部においては、販売する商品の種類が変わる場合、或いは販売する商品に対応する商品見本の形象を変えようとする場合等には、プラスチックをもって立体形状に成形された商品見本を交換しなければならなかった。尚、この商品見本の交換は、当該自動販売機を設置した現場において行われる。
【０００４】
しかし、これを行うためにはその都度商品見本陳列棚の前面扉を開け、当該商品見本を交換した後再度前面扉を閉じなければならず、一台あたりでもかなりの手間と時間を要するものであった。
【０００５】
また、立体形状に成形される商品見本自体の製作にも材料費や型代等の多大なコストと手間がかかるものであった。
【考案の概要】
【考案が解決しようとする課題】
【０００６】
本考案は上記の点に鑑みなされたものであって、従来の如き立体形状に成形された商品見本を用いることなく、商品見本を画像として表示することができるようになすと共に、各商品見本の画像を変更し得るようになした商品見本液晶表示ユニットをもって商品見本陳列部を構成することができるようになし、もって従来の自動販売機の上記問題点を解消すると共に商品見本の製作も不要となすことができるようになした商品見本液晶表示ユニットを提供しようとするものである。
【課題を解決するための手段】
【０００７】
而して本考案の要旨とするところは、購入する商品を商品選択ボタンによって選択する自動販売機における本体ケースの前面外扉に設けられる商品見本陳列部を構成する、商品見本を画像として表示することができるようになすと共に、各商品見本の画像を変更し得るようになした商品見本液晶表示ユニットにある。
【考案の効果】
【０００８】
本考案は上記の如き自動販売機における商品見本陳列部を構成する商品見本液晶表示ユニットであり、商品見本を画像として表示することができるようになすと共に、各商品見本の画像を変更し得るものである。そして、駆動回路の制御操作によって瞬時に所要の商品見本の画像を変えることができるものであるから、従来の自動販売機の商品見本陳列部において用いられていた立体形状の商品見本が不要であり、従来必要であった商品見本の交換に要する手間と時間を省くことができるものである。また、商品見本の製作コストや手間も不要とすることができるものである。また、本考案に係る商品見本液晶表示ユニットはユニットであるから、新規に自動販売機を製作する際に最初から所定の位置に嵌め込んで、該自動販売機の商品見本陳列部として構成することもできるが、既存の自動販売機において、その商品見本陳列部を取り外し、その取り外した部分に本考案に係る商品見本液晶表示ユニットを嵌め込むことにより、該既存の自動販売機の商品見本陳列部として構成することもできるものである。また、これは現地にて行うことも可能である。そしてこの場合には既存の自動販売機のリニューアルで済むことになり、商品見本陳列部を液晶化した新機械を購入するよりも安上がりに済み、コストを大幅に削減することができるものである。
【図面の簡単な説明】
【０００９】
【図１】本考案を実施した自動販売機の斜視図である。
【図２】同部分拡大図である。
【図３】本考案の実施形態に係る商品見本液晶表示ユニットの正面図である。
【図４】図３中Ａ部分の拡大断面図である。
【図５】同右側面図である。
【図６】同平面図である。
【図７】同底面図である。
【考案を実施するための形態】
【００１０】
以下、本考案を実施するための形態について、図面を参照して説明する。
【００１１】
図中、１は商品見本を画像として表示することができるようになすと共に、各商品見本の画像を変更し得るようになした商品見本液晶表示ユニットである。
【００１２】
また、該商品見本液晶表示ユニット１は、購入する商品を商品選択ボタンによって選択する自動販売機における本体ケースの前面外扉に設けられる商品見本陳列部を構成するものであり、従来の立体形状の商品見本を用いる商品見本陳列部に代わるものである。
【００１３】
また、該商品見本液晶表示ユニット１は、外装ケース２と、液晶パネル３と、バックライトとなる発光素子４と、駆動回路を設けた制御基板５とからなるものである。また、液晶パネル３に表示される商品見本の画像の変更等は駆動回路の制御操作によって行うが、図示しない制御盤によって直接的に操作するようにしてもよいし、無線により遠隔操作するようにしてもよい。また、作動用の電源として自動販売機の電源とは異なる専用の電源を備えるようにしてもよい。
【００１４】
図１及び図２には該商品見本液晶表示ユニット１をもって商品見本陳列部を構成した自動販売機を示しており、６は該自動販売機である。また、該自動販売機６は、既存のものにおいてその商品陳列部を取り外し、その取り外した部分に前記商品見本液晶表示ユニット１を嵌め込んで構成してなるものである。尚、該自動販売機６は、お茶、コーヒー、コーラ等の飲料を販売するものであるが、本考案はこれ以外の自動販売機にも適応できるものである。
【００１５】
また、該自動販売機６は、購入する商品を商品選択ボタンによって選択する自動販売機であり、本体ケース７と、該本体ケース７の前面外扉８と、該前面外扉８において、各商品見本液晶表示ユニット１の下部に、各商品見本の間隔に対応させて列設された商品選択ボタン９と、硬貨投入口１０と、紙幣投入口１１と、返却レバー１２と、金額表示部１３と、返却口１４と商品払出口１５とをもって構成されている。
【００１６】
而して、該自動販売機６において、その前面外扉８に設けられる商品見本陳列部として構成される前記商品見本液晶表示ユニット１は、お茶の商品見本の画像１Ａ、１Ｂ、コーヒーの商品見本の画像１Ｃ、コーラの商品見本の画像１Ｄの夫々を液晶パネル３に表示している。
【００１７】
そして、これらの商品見本の画像は、前記の通り制御基板５に設けた駆動回路の制御操作によって瞬時に変えることができるものである。また、商品見本の画像を変更する例として、販売する商品を変える場合、例えば、コーヒーをコーラに変える場合には、コーヒーの商品見本の画像１Ｃをコーラの商品見本の画像１Ｄに変えるものである。また、商品に対応する商品見本の画像を他の形象の画像に変えることもでき、更には個々の商品見本の画像のみでなく、全ての商品見本を一斉に変えることもできるものである。
【００１８】
本実施形態には上記の通りの構成、作用であるから、従来の自動販売機において用いられていた立体形状の商品見本が不要であり、従来必要であった商品見本の交換に要する手間と時間を省くことができるものである。また、商品見本の製作コストや手間も不要とすることができるものである。また、商品見本液晶表示ユニット１はユニットであるから、新規に自動販売機を製作する際に最初から所定の位置に嵌め込んで、該自動販売機の商品見本陳列部として構成することもできるが、既存の自動販売機において、その商品見本陳列部を取り外し、その取り外した部分に上記商品見本液晶表示ユニットを嵌め込むことにより、該既存の自動販売機の商品見本陳列部として構成することもできるものである。また、これは現地にて行うことも可能である。そして、この場合には既存の自動販売機のリニューアルで済むことになり、商品見本陳列部を液晶化した新機械を購入するよりも安上がりに済み、コストを大幅に削減することができるものである。
【符号の説明】
【００１９】
１  商品見本液晶表示ユニット
２  外装ケース
３  液晶パネル
４  発光素子
５  制御基板
６  自動販売機
７  本体ケース
８  前面外扉
９  商品選択ボタン
【図１】
0003201409.tif 000003
【図２】
0003201409.tif 000004
【図３】
0003201409.tif 000005
【図４】
0003201409.tif 000006
【図５】
0003201409.tif 000007
【図６】
0003201409.tif 000008
【図７】
0003201409.tif 000009
【手続補正書】
【提出日】平成27年10月6日(2015.10.6)
【手続補正１】
【補正対象書類名】実用新案登録請求の範囲
【補正対象項目名】全文
【補正方法】変更
【補正の内容】
【実用新案登録請求の範囲】
【請求項１】
購入する商品を商品選択ボタンによって選択する自動販売機における本体ケースの前面外扉に設けられる商品見本陳列部を構成する、外装ケースと、液晶パネルと、バックライトとなる発光素子と、駆動回路と、該駆動回路を設けた制御基板とからなり、前記液晶パネルに、商品見本を画像として表示することができるようになすと共に、各商品見本の画像を変更し得るようになした商品見本液晶表示ユニット。